(57)【要約】【課題】開放状態における有効開口幅を効果的に大きくし得る開き戸装置を提供する。【解決手段】開き戸装置１は、吊元側縦枠６に回転自在に支持される戸体１０と、この戸体を前記吊元側縦枠に対して回転自在に連結する回転連結部材２０と、を備えており、前記回転連結部材は、閉鎖状態において前記戸体の吊元側端面１０ｂに対面される前記吊元側縦枠の内側面６ａと、開放状態において開口９側に向く前記戸体の戸厚方向一方面１０ａと、が略同一平面状となるように前記戸体を開放可能に支持する構成とされている。【選択図】図１
2018071132.tif 000002
【特許請求の範囲】
【請求項１】
吊元側縦枠に回転自在に支持される戸体と、この戸体を前記吊元側縦枠に対して回転自在に連結する回転連結部材と、を備えており、
前記回転連結部材は、閉鎖状態において前記戸体の吊元側端面に対面される前記吊元側縦枠の内側面と、開放状態において開口側に向く前記戸体の戸厚方向一方面と、が略同一平面状となるように前記戸体を開放可能に支持する構成とされていることを特徴とする開き戸装置。
【請求項２】
請求項１において、
前記吊元側縦枠の開口幅方向に沿う見付寸法と前記戸体の戸厚寸法とを略同寸法としたことを特徴とする開き戸装置。
【請求項３】
請求項１または２において、
前記戸体の戸先側端部の戸厚方向両側には、当該戸体の開閉操作部が埋込状に設けられていることを特徴とする開き戸装置。
【請求項４】
請求項１乃至３のいずれか１項において、
前記戸厚方向一方面が前記吊元側縦枠の内側面と略同一平面状とされた開放位置において前記戸体を保持する保持機構を備えていることを特徴とする開き戸装置。
【請求項５】
請求項１乃至４のいずれか１項において、
前記回転連結部材は、前記吊元側縦枠の内側面に沿うように固定される平板状の縦枠取付部と、前記戸体の吊元側端面に沿うように固定される平板状の戸体取付部と、これら縦枠取付部及び戸体取付部に対して両端が上下方向に沿う軸回りに回転自在に連結された中間平板部と、を備えていることを特徴とする開き戸装置。
【発明の詳細な説明】
【技術分野】
【０００１】
本発明は、開き戸装置に関する。
【背景技術】
【０００２】
従来より、吊元側縦枠に回転自在に支持される戸体を備えた開き戸装置が知られている。
例えば、下記特許文献１には、ピボットヒンジを介してドア枠に開閉自在とされたドアの開放角度を９０度に規定する構成とされたドア装置が開示されている。
【先行技術文献】
【特許文献】
【０００３】
【特許文献１】特開２０１３−２０９８８１号公報
【発明の概要】
【発明が解決しようとする課題】
【０００４】
しかしながら、上記構成とされたドア装置では、ドアを開放させた状態で、吊元側の縦枠の開口中心側にドアが位置する構成となるため、有効開口幅が小さくなる傾向があった。
【０００５】
本発明は、上記実情に鑑みてなされたものであり、開放状態における有効開口幅を効果的に大きくし得る開き戸装置を提供することを目的としている。
【課題を解決するための手段】
【０００６】
上記目的を達成するために、本発明に係る開き戸装置は、吊元側縦枠に回転自在に支持される戸体と、この戸体を前記吊元側縦枠に対して回転自在に連結する回転連結部材と、を備えており、前記回転連結部材は、閉鎖状態において前記戸体の吊元側端面に対面される前記吊元側縦枠の内側面と、開放状態において開口側に向く前記戸体の戸厚方向一方面と、が略同一平面状となるように前記戸体を開放可能に支持する構成とされていることを特徴とする。
【発明の効果】
【０００７】
本発明に係る開き戸装置は、上述のような構成としたことで、開放状態における有効開口幅を効果的に大きくすることができる。
【図面の簡単な説明】
【０００８】
【図１】本発明の一実施形態に係る開き戸装置の一例を模式的に示す一部破断概略横断面図である。
【図２】（ａ）、（ｂ）は、同開き戸装置の一部破断概略横断面図である。
【図３】（ａ）、（ｂ）、（ｄ）は、同開き戸装置の一部破断概略縦断面図、（ｃ）は、（ｂ）におけるＸ−Ｘ線矢視に対応させた一部破断概略横断面図である。
【図４】（ａ）、（ｂ）は、本発明の他の実施形態に係る開き戸装置の一例を模式的に示す一部破断概略横断面図、（ｃ）は、同開き戸装置の一部破断概略正面図である。
【図５】（ａ）〜（ｃ）は、本発明の更に他の実施形態に係る開き戸装置の一例を模式的に示す一部破断概略横断面図である。
【発明を実施するための形態】
【０００９】
以下に本発明の実施の形態について、図面に基づいて説明する。
図１〜図３は、第１実施形態に係る開き戸装置１の一例を模式的に示す図である。
なお、一部の図では、他図に付している詳細な符号の一部を省略している。
また、以下の各実施形態では、各実施形態に係る開き戸装置を施工した状態で、戸体を開放させる際に引き操作する側において閉鎖状態とされた戸体に対面した使用者を基準として、使用者側を前方、その逆側を後方とし、また、上下方向等の方向を説明する。
【００１０】
本実施形態に係る開き戸装置１は、図１及び図２に示すように、吊元側縦枠６に回転自在に支持される戸体１０と、吊元側縦枠６に対して戸体１０を回転自在に連結する回転連結部材２０と、を備えている。この戸体１０は、住居等の建物の壁部２，３を貫通するように設けられた出入口となる開口９を開閉する構成とされている。本実施形態では、この開口９を、吊元側縦枠６を含む戸枠４によって区画した構成としている。戸枠４は、開口９の上側を区画する上枠５と、開口９の吊元側を区画する吊元側縦枠６と、開口９の戸先側を区画する戸先側縦枠７と、を備えている。なお、図例では、開口９の下側を床によって区画した例を示しているが、開口９の下側を区画する下枠（沓摺）を設けた構成としてもよい。
【００１１】
また、本実施形態では、建物内の第１壁部２に対して直交状に設けられた第２壁部３の第１壁部２側の端部に当該開き戸装置１を設置した例を示している。また、第１壁部２の壁面２ａに沿わせるように、吊元側縦枠６を固定した構成としている。つまり、吊元側縦枠６を、厚さ方向（見付方向）を第１壁部２の壁厚方向に沿わせ、この第１壁部２の壁面２ａに沿わせるように固定した構成としている。また、吊元側縦枠６の厚さ方向一方面となる反開口側に向く外側面（裏面）を、第１壁部２の壁面２ａに当接させて固定した例を示している。つまり、戸枠４の両側の縦枠６，７が固定される開口部の両側を、第１壁部２の壁面２ａとこの壁面２ａに対向する第２壁部３の端面とによって区画した構成としている。
【００１２】
なお、第１壁部２の壁面２ａは、壁クロス等が貼着された内装仕上面でもよく、壁下地面でもよい。また、第１壁部２を構成する壁下地ボードの裏面側に、吊元側縦枠６が固定される適宜の枠下地が設けられたものでもよい。または、第１壁部２を構成する壁下地ボード間に吊元側縦枠６が固定される枠下地を壁面２ａを構成するように露出させたような態様としてもよい。また、吊元側縦枠６を固定した後に、その周囲に壁クロス等が貼着されるものでもよい。
また、第２壁部３の端面は、戸先側縦枠７がその厚さ方向一方面となる反開口側に向く外側面（裏面）を当接させて固定される枠下地や壁下地ボードの端面等によって構成されたものでもよい。
【００１３】
また、これら吊元側縦枠６及び戸先側縦枠７の厚さ方向他方面となる開口９側に向く内側面（表面、見込面）６ａ，７ａに、戸体１０の戸厚方向一方面となる後面１０ａに当接または近接される戸当たり部６ｂ，７ｂを設けた構成としている。これら戸当たり部６ｂ，７ｂは、吊元側縦枠６及び戸先側縦枠７のそれぞれの対向する内側面６ａ，７ａの見込方向（幅方向）において略一致した位置から対向する方向（見付方向、開口幅方向）に突出するように設けられている。図例では、これら戸当たり部６ｂ，７ｂを、吊元側縦枠６及び戸先側縦枠７のそれぞれの見込方向（幅方向）中央部よりも見込方向一方側となる後方側に寄った位置に設けた例を示しているが、このような位置に限られない。また、これら戸当たり部６ｂ，７ｂは、吊元側縦枠６及び戸先側縦枠７のそれぞれの長手方向に延びるように略全長に亘って設けられている。また、図例では、別体とされた戸当たり部６ｂ，７ｂを、吊元側縦枠６及び戸先側縦枠７に固定した例を示しているが、一体的に設けられたものでもよい。なお、図示を省略しているが、上枠５にも同様な戸当たり部が設けられている。
【００１４】
また、吊元側縦枠６には、後記する戸体１０を回転自在に支持する回転連結部材２０の縦枠取付部２１が内側面６ａに沿うように固定される。本実施形態では、吊元側縦枠６の戸当たり部６ｂよりも見込方向他方側となる前方側端部の内側面６ａに、開口幅方向に厚さ方向を沿わせて配される平板状の縦枠取付部２１を受け入れる切欠状の凹段部を設けた構成としている。なお、このような凹段部を設けた態様に代えて、内側面６ａに重ね合わせるように縦枠取付部２１を固定した構成としてもよい。
また、戸先側縦枠７には、戸体１０の戸先側端部に設けられたラッチ錠装置のラッチ頭部１２を受け入れる凹所８ａが設けられたラッチ受（ストライク）８が固定されている。
なお、開き戸装置１が戸枠４を備えた構成としてもよい。また、上枠５の上側に垂れ壁を設けた態様としてもよく、天井まで至るような開口９としてもよい。この場合は、上枠５を天井に埋込状に設けたり、上枠５を設けていない構成等としてもよい。
【００１５】
戸体１０は、上下方向に長尺な略矩形平板状とされている。図例では、この戸体１０の開放状態で第１壁部２の壁面２ａ側に向く戸厚方向他方面となる前面及び後面１０ａを平坦面状とした例を示しているが、このような態様に限られない。例えば、戸体１０の中央部に凹部を形成するように鏡板状部が設けられた框パネル状とされたものとしたり、戸体１０の適所にガラリ等の通気部や透光部等が設けられたものでもよい。
本実施形態では、図１に示すように、この戸体１０の戸厚寸法Ｔ２と吊元側縦枠６の見付寸法（開口幅方向に沿う寸法）Ｔ１とを略同寸法としている。また、吊元側縦枠６の見付寸法Ｔ１を、吊元側縦枠６自体の厚さ寸法としている。なお、このような態様に代えて、吊元側縦枠６の厚さ方向の一部が第１壁部２に埋込状に設けられる場合には、吊元側縦枠６の見付寸法Ｔ１を第１壁部２の壁面２ａから露出する寸法としてもよい。
【００１６】
また、戸体１０の戸先側端部の戸厚方向両側には、当該戸体１０の開閉操作部１１，１１が設けられている。本実施形態では、これら戸厚方向両側の開閉操作部１１，１１を、戸体１０の戸先側端部に埋込状に設けた構成としている。また、これら戸厚方向両側の開閉操作部１１，１１を、戸体１０の前面及び後面１０ａから略突出しないように設けた構成としている。
また、これら開閉操作部１１，１１を、戸体１０の戸先側端部に設けられたラッチ錠装置に連結した構成とし、これら開閉操作部１１，１１の操作がなされることで、ラッチ頭部１２の没入がなされる構成としている。このような開閉操作部１１，１１としては、比較的に薄型状とされた手掛部を戸厚方向に押込操作または引張操作することでラッチ頭部１２の没入がなされるいわゆるプッシュプルハンドル等でもよい。また、戸体１０の戸先側端部に埋込状に設けられたラッチ錠装置としては、公知のものの採用が可能であり、ラッチ頭部１２の没入を阻止するロック機構を有したものやデッドボルトを出没させるサムターンを備えたものでもよい。
【００１７】
なお、戸体１０の閉鎖状態を維持する閉鎖維持機構としては、開閉操作部１１，１１の操作を伴い没入されるラッチ頭部１２を備えたラッチ錠装置に限られない。例えば、戸体１０の戸先側端部に、ばね等の付勢部材によって突出方向に付勢され、平面視して先端面が突湾曲面形状とされた係合突起を戸幅方向に出没自在に設けた構成等としてもよい。つまり、戸体１０の戸先側端部の戸厚方向開側への移動を伴いばね等の付勢部材の付勢に抗して没入される係合突起を設けた構成等としてもよい。または、マグネットキャッチやプッシュキャッチ、ボールキャッチ、ローラーキャッチ等の種々のキャッチ機構や締り部材を閉鎖維持機構として採用するようにしてもよく、その他、種々の構成とされたものの採用が可能である。また、このような閉鎖維持機構の構成に応じて開閉操作部１１，１１を適宜、変形するようにしてもよく、さらには、開閉操作部１１，１１を設けていない構成としてもよい。
【００１８】
また、この戸体１０には、後記する回転連結部材２０の戸体取付部２２が吊元側端面１０ｂに沿うように固定されている。本実施形態では、戸体１０の吊元側端面１０ｂに、戸幅方向に厚さ方向を沿わせて配される平板状の戸体取付部２２を受け入れる切欠状の凹段部を設けた構成としている。なお、このような凹段部を設けた態様に代えて、吊元側端面１０ｂに重ね合わせるように戸体取付部２２を固定した構成としてもよい。
なお、戸体１０は、木質系材料やその他、種々の材料から形成されたものでもよく、枠状芯材内にペーパーコアなどのコア材や発泡材が充填された芯材に面材が貼着されたフラッシュパネル状とされたものでもよい。
【００１９】
回転連結部材２０は、図示は省略しているが、戸体１０の戸高方向に間隔を空けて複数箇所に設けられている。
また、回転連結部材２０は、閉鎖状態において戸体１０の吊元側端面１０ｂに対面される吊元側縦枠６の内側面６ａと、開放状態において開口９側に向く戸体１０の後面１０ａと、が略同一平面状となるように戸体１０を開放可能に支持する構成とされている。つまり、当該開き戸装置１は、図１に示すように、戸体１０を開放させた状態で、戸体１０の後面１０ａと吊元側縦枠６の内側面６ａとが略同一平面状となる構成とされている。また、当該開き戸装置１は、このように戸体１０を開放させた状態では、戸体１０の前面が第１壁部２の壁面２ａに近接対面または当接する構成とされている。なお、第１壁部２や下端の幅木、上端の廻縁等との干渉を抑制するように、戸体１０の戸厚寸法Ｔ２を吊元側縦枠６の見付寸法Ｔ１よりも小さい寸法（例えば、１ｍｍ〜１０ｍｍ程度、好ましくは１ｍｍ〜５ｍｍ程度小さい寸法）等としてもよい。
【００２０】
本実施形態では、この回転連結部材２０を、縦枠取付部２１及び戸体取付部２２に対して両端が上下方向に沿う軸２４，２５回りに回転自在に連結された中間平板部２３を備えた構成としている。中間平板部２３は、図２（ａ）に示すように、戸体１０を閉鎖した状態で、戸幅方向に厚さ方向を沿わせて配される平板状とされている。
縦枠取付部２１の前端部と中間平板部２３の前端部（閉鎖状態における前端部）とが上下方向に軸方向を沿わせた枠側軸２４を介して回転自在に連結されている。これら縦枠取付部２１の前端部及び中間平板部２３の前端部には、枠側軸２４を回転自在に保持する軸受部が設けられている。また、枠側軸２４は、吊元側縦枠６の前端部に位置するように設けられている。図例では、枠側軸２４を、吊元側縦枠６の前端面（見付面）よりも僅かに前方側に位置させた例を示している。また、縦枠取付部２１と中間平板部２３とは、図１及び図２（ａ）に示すように、閉鎖状態で互いに略平行状となるように折り畳まれた状態から開き角度が少なくとも１８０度となるまで展開可能とされている。これら縦枠取付部２１と中間平板部２３とは、開き角度が１８０度超とならないように、ばね等の開き角度規制部材によって開き角度が規制されたものでもよい。
【００２１】
戸体取付部２２の後端部（閉鎖状態における後端部）と中間平板部２３の後端部（閉鎖状態における後端部）とが上下方向に軸方向を沿わせた戸側軸２５を介して回転自在に連結されている。これら戸体取付部２２の後端部及び中間平板部２３の後端部には、戸側軸２５を回転自在に保持する軸受部が設けられている。また、戸側軸２５は、戸体１０の後端部（閉鎖状態における後端部）に位置するように設けられている。図例では、閉鎖状態で戸当たり部６ｂに干渉しないように、戸側軸２５を、戸体１０の後面１０ａよりも後方側に突出しないように設けた例を示している。また、戸体取付部２２と中間平板部２３とは、図１及び図２（ａ）に示すように、閉鎖状態で互いに略平行状となるように折り畳まれた状態から開き角度が少なくとも９０度となるまで展開可能とされている。これら戸体取付部２２と中間平板部２３とは、開き角度が９０度超とならないように、ばね等の開き角度規制部材によって開き角度が規制されたものでもよい。また、図例では、縦枠取付部２１及び戸体取付部２２の見込方向（戸厚方向）に沿う幅寸法を、互いに略同寸法とし、中間平板部２３の同方向に沿う幅寸法よりも小とした例を示しているが、このような態様に限られない。
【００２２】
また、本実施形態では、図２（ｂ）に示すように、回転連結部材２０に、戸体取付部２２と中間平板部２３とを折り畳み状態に維持する折畳維持機構２６を設けた構成としている。このような折畳維持機構２６を設けた構成とすれば、戸体取付部２２と中間平板部２３とを折り畳み状態に維持させた状態で、戸体１０の開閉が可能となり、戸体１０を枠側軸２４回りに安定的に回転させることができる。
図例では、戸体取付部２２及び中間平板部２３の折り畳み状態において対面する側に、折畳維持機構２６として互いに吸着する磁石を設けた構成としている。なお、折畳維持機構２６としては、図例のような磁石に限られず、上記したような種々のキャッチ機構や、スナップ等の留め具、解除操作を要する掛金等のロック機構、その他、種々の構成とされたものの採用が可能である。
【００２３】
また、戸体取付部２２と中間平板部２３とを折り畳み状態に維持させた状態で、戸体１０を開放させた状態（途中開放状態）では、図２（ｂ）に示すように、戸体１０の後面１０ａが吊元側縦枠６の内側面６ａに対して斜め状となる。この状態では、戸体１０の吊元側端部が吊元側縦枠６の内側面６ａから開口幅方向において開口９側に位置した状態となる。この状態から戸体１０を概ね戸幅方向に沿って戸先側（前方側）に向けて移動させれば、折畳維持機構２６による折り畳み状態の維持が解除される。または、折畳維持機構２６が解除操作を要する場合には、解除操作した後に、戸体１０を同方向に移動させるようにしてもよい。これにより、中間平板部２３が縦枠取付部２１に対して展開しながら戸体取付部２２と中間平板部２３とが展開され、図１に示すように、戸体１０がその後面１０ａと吊元側縦枠６の内側面６ａとが略同一平面状となる開放状態（全開状態、壁付状態）となる。
【００２４】
また、本実施形態では、図３に示すように、上記途中開放状態とされた戸体１０を上記全開状態に移動させる際に戸体１０の移動を規制するガイド機構１３，１８を設けている。このような構成とすれば、上記途中開放状態とされた戸体１０を上記全開状態とする際に、戸体１０の戸先側端部が第１壁部２の壁面２ａに擦るようなことを抑制することができる。
本実施形態では、ガイド機構１３，１８として、戸体１０の戸先側端部の下端面において開口するガイド溝１３と、床側に設けられ、ガイド溝１３に挿入される被ガイド部としてのピン１９を有した被ガイド部材１８と、を設けた構成としている。また、本実施形態では、ガイド機構１３，１８を、上記途中開放状態とされた戸体１０を、その途中開放位置において保持する保持機構としても機能する構成としている。また、ガイド機構１３，１８を、上記全開状態とされた戸体１０を、その全開位置（開放位置）において保持する保持機構としても機能する構成としている。
【００２５】
被ガイド部材１８は、床に埋込状に設けられるケーシングにピン１９を上下方向に昇降自在に保持させた構成とされている。また、ピン１９の少なくとも突出方向先端部（上端部）に、ガイド溝１３の溝底側に設けられた磁石１６に吸引される被吸引部を設けた構成としている。このようなピン１９の被吸引部としては、鉄等の強磁性体から形成されたピン１９自体としたり、ピン１９の先端部に付設状または埋込状に設けられた磁石としたりしてもよい。また、ピン１９の先端部には、径方向に突出するように鍔状部１９ａが設けられている。
この被ガイド部材１８は、図２（ｂ）に示すように、上記途中開放状態とされた戸体１０の戸先側端部の直下にピン１９が位置するように配設される。
【００２６】
ガイド溝１３は、概ね戸幅方向に延びるように長尺状に形成されている。このガイド溝１３は、当該ガイド溝１３に受け入れたピン１９によって戸体１０の移動が規制されて戸体１０の戸先側端部が第１壁部２に擦ることなく戸体１０が移動するように後面１０ａ側が凹となる円弧溝状とされている。また、このガイド溝１３の長手方向両端部には、他の部位よりも溝深さ寸法が大とされ、保持機構を構成する保持凹部１４，１５が設けられている。これら保持凹部１４，１５の溝底側には、ピン１９の被吸引部を吸引してピン１９を上昇させる保持機構を構成する磁石１６，１６がそれぞれに設けられている。ガイド溝１３の戸先側端部に設けられた第１保持凹部１４にピン１９の先端部が挿入されて戸体１０が上記途中開放位置において保持される。また、ガイド溝１３の吊元側端部に設けられた第２保持凹部１５にピン１９の先端部が挿入されて戸体１０が上記全開位置において保持される。
【００２７】
また、第１保持凹部１４及び第２保持凹部１５の溝長手方向中央側には、当該ガイド溝１３に沿って相対的にピン１９の移動が可能なように、溝長手方向中央側に向かうに従い溝深さが小さくなるように傾斜する傾斜面１４ａ，１５ａが設けられている。磁石１６，１６は、第１保持凹部１４及び第２保持凹部１５の凹底部及び傾斜面１４ａ，１５ａに沿うように設けられている。なお、磁石１６，１６は、図例のように埋込状に設けられた態様に限られず、ガイド溝１３の溝底に付設状に設けられたものでもよい。
また、ガイド溝１３の途中部位には、磁石が設けられておらず、両端側の保持凹部１４，１５間をピン１９が相対的に移動する際には、磁石による吸引力が弱まってピン１９が降下する構成とされている。このように降下するピン１９がガイド溝１３から脱離しないように、ガイド溝１３の下端開口両側縁には、互いに対向する方向に向けて突出し、鍔状部１９ａを受ける抜止片部１７，１７が設けられている。また、これら両側の抜止片部１７，１７を、第１保持凹部１４の箇所においてはピン１９の昇降が可能なように、第１保持凹部１４の箇所には設けていない構成としている。
【００２８】
上記途中開放位置において保持された戸体１０を上記全開位置に向けて移動させる際には、第１保持凹部１４の溝底側の磁石１６に吸引されて第１保持凹部１４に保持されたピン１９が戸体１０の移動を伴い傾斜面１４ａによって降下する。更なる戸体１０の移動を伴って第１保持凹部１４の溝底側の磁石１６による吸引力が弱まれば、ピン１９が更に降下し、抜止片部１７，１７に鍔状部１９ａが引っ掛かった状態で戸体１０が移動する。そして、更なる戸体１０の移動を伴ってピン１９の位置に第２保持凹部１５近傍部位が至れば、ピン１９が第２保持凹部１５の溝底側の磁石１６に吸引されて第２保持凹部１５に保持され、戸体１０が上記全開位置において保持される。
このように上記全開位置において保持された戸体１０を上記途中開放位置に向けて移動させる際には、上記とは逆に、第２保持凹部１５の溝底側の磁石１６に吸引されて第２保持凹部１５に保持されたピン１９が戸体１０の移動を伴い傾斜面１５ａによって降下する。更なる戸体１０の移動を伴って第２保持凹部１５の溝底側の磁石１６による吸引力が弱まれば、ピン１９が更に降下し、抜止片部１７，１７に鍔状部１９ａが引っ掛かった状態で戸体１０が移動する。そして、更なる戸体１０の移動を伴ってピン１９の位置に第１保持凹部１４近傍部位が至れば、ピン１９が第１保持凹部１４の溝底側の磁石１６に吸引されて第１保持凹部１４に保持され、戸体１０が上記途中開放位置において保持される。
【００２９】
このように上記途中開放位置において保持された戸体１０をピン１９に対して閉鎖側に移動可能なように、第１保持凹部１４の戸厚方向他方側（戸体前面側）に、前面側に向かうに従い溝深さが小さくなるように傾斜する傾斜面１４ｂを設けた構成としている。上記途中開放位置において保持された戸体１０を閉鎖側に移動させれば、傾斜面１４ｂによってピン１９が降下させられて磁石１６の吸引力が弱まり、図３（ａ）の二点鎖線に示すように、ピン１９がケーシング内に没入した状態となる。これにより、戸体１０が閉鎖側に向けて移動可能となる。また、図例では、第１保持凹部１４の溝壁下端部に、傾斜面１４ｂによって降下させられたピン１９を戸厚方向他方側となる前面側に向けて脱離させる切欠状の開口１４ｃを設けた構成としている。これによれば、ピン１９を比較的に円滑に第１保持凹部１４から脱離させることができる。なお、このような開口１４ｃを設けていない構成としてもよい。この場合は、傾斜面１４ｂを戸体１０の下端面または近傍部位に至るまで設けた構成等としてもよい。また、第２保持凹部１５の戸厚方向他方側（戸体前面側）にも、前面側に向かうに従い溝深さが小さくなるように傾斜する傾斜面や開口を設けた構成としてもよい。このような構成とすれば、上記全開位置において保持された戸体１０を上記途中開放位置に向けて移動させることなく閉鎖側に移動させることも可能となる。
【００３０】
本実施形態に係る開き戸装置１は、上述のような構成としたことで、開放状態（戸体１０が上記全開位置とされた状態）における有効開口幅を効果的に大きくすることができる。
つまり、閉鎖状態において戸体１０の吊元側端面１０ｂに対面される吊元側縦枠６の内側面６ａと、開放状態（上記全開状態）において開口９側に向く戸体１０の戸厚方向一方面（後面）１０ａと、が略同一平面状となるように戸体１０を開放可能な構成としている。従って、戸体１０を全開状態とすれば、吊元側縦枠６の内側面６ａと戸体１０の後面１０ａとが略フラット状となり、有効開口幅を効果的に大きくすることができ、また、すっきりとした印象を与えることができる。
【００３１】
また、本実施形態では、吊元側縦枠６の開口幅方向に沿う見付寸法Ｔ１と戸体１０の戸厚寸法Ｔ２とを略同寸法としている。従って、上記全開状態とされた戸体１０と吊元側縦枠６とが開口９方向（見込方向）に見て略重なり合い、すっきりとした印象を与えることができる。また、本実施形態のように、吊元側縦枠６が第１壁部２に壁付状に設けられて上記全開状態の戸体１０の前面が壁面２ａに対面されるような場合にも上記全開状態とされた戸体１０が壁面２ａに干渉するようなことを抑制することができる。また、戸体１０の前面が壁面２ａに当接または近接して戸体１０と壁面２ａとの隙間が形成され難くなり、上記全開状態の戸体１０を壁付状に見栄え良く納めることができる。これにより、戸体１０を目立ち難く壁付状に納めることができるので、戸体１０を常時は上記全開状態としたいような箇所に設置する場合に好適なものとなる。
【００３２】
また、本実施形態では、戸体１０の戸先側端部の戸厚方向両側に、当該戸体１０の開閉操作部１１，１１を埋込状に設けた構成としている。従って、上記全開状態において戸体１０の後面１０ａから突出するような開閉操作部１１を設けたものと比べて、開閉操作部１１との接触を抑制することができ、通行性を向上させることができる。また、上記のように上記全開状態の戸体１０の前面が壁面２ａに対面されるような場合にも、上記全開状態において前面側の開閉操作部１１が壁面２ａに干渉するようなことを抑制することができる。なお、このような態様に代えて、戸体１０の戸厚方向両側または一方側の開閉操作部１１，１１を戸先側端部に付設状に設けられたものとしてもよい。このような場合において、戸体１０が上記全開状態で壁付状に納められる場合には、第１壁部２に前面側の開閉操作部１１を受け入れる凹所を設けたような構成等としてもよい。
【００３３】
また、本実施形態では、後面１０ａが吊元側縦枠６の内側面６ａと略同一平面状とされた上記全開位置において戸体１０を保持する保持機構として第２保持凹部１５及びこれに挿入されて保持されるピン１９を設けた構成としている。従って、吊元側縦枠６の内側面６ａと略フラット状とされた上記全開位置において戸体１０を保持させることができ、戸体１０が意図することなく閉鎖側に移動するようなことを抑制することができる。
また、本実施形態では、回転連結部材２０を、縦枠取付部２１と戸体取付部２２とこれら縦枠取付部２１及び戸体取付部２２に対して両端が上下方向に沿う軸２４，２５回りに回転自在に連結された中間平板部２３とを備えた構成としている。従って、例えば、後記する第３実施形態のように、スライド蝶番状の回転連結部材２０Ｂを設けた構成と比べて、閉鎖状態で後方側から見た状態や開放状態において回転連結部材２０を目立ち難くすることができる。また、開放状態において回転連結部材２０が開口９の中心側に大きく突出するようなことを抑制することができる。
【００３４】
次に、本発明に係る他の実施形態について、図面を参照しながら説明する。
なお、以下の各実施形態では、上記した第１実施形態との相違点について主に説明し、同様の構成については、同一の符号を付し、その説明を省略または簡略に説明する。
【００３５】
図４は、第２実施形態に係る開き戸装置１Ａの一例を模式的に示す図である。
本実施形態では、回転連結部材２０Ａの構成及び戸体１０Ａを上記全開位置において保持する保持機構１５Ａ，１９Ａの構成が上記第１実施形態とは主に異なる。また、本実施形態では、上記途中開放状態とされた戸体１０Ａを上記全開状態とする際に戸体１０Ａの移動を規制するガイド機構１３，１８を設けていない構成としている。
本実施形態では、回転連結部材２０Ａに、戸体取付部２２と中間平板部２３との開き角度が９０度超とならないように、戸体取付部２２と中間平板部２３とを連結する連結部材２７，２７を設けた構成としている。図例では、連結部材２７，２７を、戸体取付部２２及び中間平板部２３のそれぞれに連結され、上下方向に沿う中央軸２７ａ回りに互いに回転自在に連結された二本のアーム状部材とした例を示している。また、一方の連結部材２７の端部を、戸体取付部２２の幅方向途中部位に上下方向に沿う戸側軸２７ｂ回りに回転自在に連結した構成としている。また、他方の連結部材２７の端部を、中間平板部２３の幅方向途中部位に上下方向に沿う枠側軸２７ｃ回りに回転自在に連結した構成としている。
【００３６】
これら連結部材２７，２７は、図４（ａ）に示すように、戸体取付部２２と中間平板部２３とが折り畳まれた状態では、互いに折り畳まれた状態となる。一方、これら連結部材２７，２７は、図４（ｂ）に示すように、戸体取付部２２と中間平板部２３とが展開されて戸体１０Ａが上記全開状態となれば、開き角度が略１８０度とされ、これにより、戸体取付部２２と中間平板部２３との開き角度が略９０度に維持される。このように開き角度が略１８０度とされて連結部材２７，２７が直列状とされた状態から戸体取付部２２と中間平板部２３とを折り畳む側に戸体１０Ａを移動させる際には、中央軸２７ａ近傍部位を戸側軸２５側に向けて押し込んで移動させるようにしてもよい。
【００３７】
保持機構１５Ａ，１９Ａは、戸体１０Ａの戸先側端部の下端面において開口するように設けられた保持凹部１５Ａと、この保持凹部１５Ａに挿入されて保持される被保持部となるフラップ１９Ａとを備えた構成とされている。フラップ１９Ａは、床に埋込状または床面に沿うように設けられたストッパー部材１８Ａの本体に対して一端部が水平方向に沿う軸回りに回転自在に連結された平板状とされている。つまり、このフラップ１９Ａは、一端部を支点として起倒自在とされて他端部側が上下方向に昇降される構成とされている。また、このフラップ１９Ａの少なくとも他端部には、保持凹部１５Ａの凹底部側に設けられた磁石１６Ａに吸引される上記同様な被吸引部が設けられている。
また、ストッパー部材１８Ａは、このフラップ１９Ａの一端部が第１壁部２側となるように床側に固定される。また、このストッパー部材１８Ａは、上記全開位置とされた戸体１０Ａの戸先側端部の直下に位置するように設けられている。
【００３８】
保持凹部１５Ａは、磁石１６Ａによって吸引されて上昇されたフラップ１９Ａの他端部を受け入れて保持する構成とされている。フラップ１９Ａは、他端部が保持凹部１５Ａに挿入された状態では、第１壁部２の壁面２ａ側から戸厚方向に離れるに従い上るように傾斜状とされる。
戸体１０Ａを上記全開位置に向けて移動させ、この保持凹部１５Ａがフラップ１９Ａの他端部の上方側に至れば、フラップ１９Ａの他端部が磁石１６Ａによって吸引されて保持凹部１５Ａに挿入される。これにより、戸体１０Ａの移動が抑制される。一方、戸体１０Ａを閉鎖側に移動させれば、上記のように傾斜状とされたフラップ１９Ａが戸体１０Ａの移動を伴い倒伏されるように変位し、戸体１０Ａの閉鎖側への移動が可能となる。
なお、この保持機構１５Ａ，１９Ａに、上記全開位置とされた戸体１０Ａの移動を抑制するロック状態と解除状態とに操作されるロック機構を設けた構成としてもよい。
【００３９】
上記構成とされた本実施形態に係る開き戸装置１Ａにおいても、上記第１実施形態と概ね同様の効果を奏する。
なお、本実施形態では、戸体１０Ａを上記途中開放位置において保持する保持機構を設けていない構成としているが、上記途中開放位置の戸体１０Ａの戸先側端部の直下に位置するように上記同様なストッパー部材１８Ａを設けた構成としてもよい。
【００４０】
図５は、第３実施形態に係る開き戸装置１Ｂの一例を模式的に示す図である。
本実施形態では、回転連結部材２０Ｂの構成が上記各実施形態とは主に異なる。
本実施形態では、回転連結部材２０Ｂを、スライド蝶番状としている。また、この回転連結部材２０Ｂを、閉鎖状態とされた戸体１０Ｂの前面と吊元側縦枠６Ａの前端面とが略同一平面状となるように、吊元側縦枠６Ａ及び戸体１０Ｂに固定した構成としている。
この回転連結部材２０Ｂは、吊元側縦枠６Ａに固定される縦枠取付部２１Ａと、戸体１０Ｂに固定される戸体取付部２５Ａと、を備えている。
【００４１】
縦枠取付部２１Ａは、本実施形態では、吊元側縦枠６Ａの見込方向中央部よりも後方側部位の内側面６ａに沿うように固定されている。この縦枠取付部２１Ａとしては、吊元側縦枠６Ａに固定される座金状部材とこの座金状部材に対して位置調整可能に固定されるフレーム部とを備えた構成とされたものでもよい。また、本実施形態では、この縦枠取付部２１Ａが固定される吊元側縦枠６Ａに戸当たり部を設けていない構成としている。なお、吊元側縦枠６Ａの上下方向において回転連結部材２０Ｂが設けられていない箇所には戸当たり部を設けた構成としてもよい。
また、この縦枠取付部２１Ａのフレーム部は、縦枠取付部２１Ａの前端部から開口９の中心側に向けて突出する突出部２２Ａとこの突出部２２Ａの先端部から前方側に向けて延びる延出部２３Ａとを備えている。また、延出部２３Ａの先端部には、上下方向に沿う軸回りに回転可能にアーム部２４Ａが連結されている。
【００４２】
戸体取付部２５Ａは、戸体１０Ｂの吊元側端部に埋込状に設けられたいわゆるカップ部とされている。戸体１０Ｂの吊元側端部には、後面１０ａ側において戸厚方向に開口するように戸体取付部２５Ａを受け入れる凹部が設けられている。
このカップ状とされた戸体取付部２５Ａの凹所の凹底側には、アーム部２４Ａをスライド自在に受け入れて保持する保持アーム２６Ａの基端部が上下方向に沿う軸回りに回転可能に連結されている。なお、保持アーム２６Ａ及びアーム部２４Ａの両方または一方に、公知のスライド蝶番のようなリンク機構を設けた構成としてもよい。
これら保持アーム２６Ａ及びアーム部２４Ａは、閉鎖状態では、短縮された状態で折り畳まれるようにして戸体取付部２５Ａの凹所に収容される構成とされている（図５（ａ）参照）。また、縦枠取付部２１Ａの延出部２３Ａも、閉鎖状態では、大部分に亘って戸体取付部２５Ａの凹所に収容される構成とされている。
【００４３】
この回転連結部材２０Ｂは、図５（ａ）、（ｂ）に示すように、閉鎖状態とされた戸体１０Ｂを開放側に移動させれば、戸体取付部２５Ａに収容された保持アーム２６Ａ及びアーム部２４Ａが戸体取付部２５Ａに対して回転し、戸体１０Ｂが途中開放位置とされる。本実施形態では、途中開放位置とされた戸体１０Ｂの前面が第１壁部２の壁面２ａに対して間隔を空けて略平行状となるように戸体１０Ｂが配される構成とされている。
また、このように途中開放位置とされた戸体１０Ｂを、図５（ｃ）に示すように、保持アーム２６Ａをアーム部２４Ａに対してスライドさせながら第１壁部２側に移動させれば、上記同様な全開位置となる。つまり、途中開放位置から全開位置に戸体１０Ｂを移動させる際に、戸体１０Ｂの前面が第１壁部２の壁面２ａに対して平行状に維持された状態で、戸体１０Ｂの移動が可能とされている。このような構成とすれば、戸体１０Ｂを全開位置に向けて移動させる際に、戸体１０Ｂの戸先側端部が第１壁部２の壁面２ａに擦るようなことを抑制することができる。なお、このような戸体１０Ｂの平行移動が可能なように、縦枠取付部２１Ａの延出部２３Ａに対するアーム部２４Ａの角度及び戸体取付部２５Ａに対する保持アーム２６Ａの角度を規制する機構を設けた構成としてもよい。
【００４４】
上記構成とされた本実施形態に係る開き戸装置１Ｂにおいても、上記第１実施形態と概ね同様の効果を奏する。
また、本実施形態では、回転連結部材２０Ｂを、スライド蝶番状としている。従って、上記第１実施形態及び第２実施形態のような複数枚の平板状部材を連結した構成とされたものと比べて、閉鎖状態で前方側から見た状態において回転連結部材２０Ｂを目立ち難くすることができる。
なお、本実施形態では、戸体取付部２５Ａ側に連結された保持アーム２６Ａが縦枠取付部２１Ａ側のアーム部２４Ａを受け入れる構成とした例を示しているが、このような態様に限られない。例えば、いずれか一方に設けられた長孔状のガイド孔等に対してスライド自在とされた軸部を設けたような構成とされたものでもよい。また、回転連結部材２０Ｂに、互いにスライド自在とされた部材を設けた態様に代えて、または加えて、縦枠取付部２１Ａの基端部に対して突出部２２Ａ等を上下方向に沿う軸回りに回転自在に連結した構成等とされたものでもよい。スライド蝶番状の回転連結部材２０Ｂとしては、その他、種々の構成とされたものの採用が可能である。
【００４５】
また、戸体１０，１０Ａ，１０Ｂの後面１０ａと吊元側縦枠６，６Ａの内側面６ａとが略同一平面状となるように戸体１０，１０Ａ，１０Ｂを開放可能に支持する回転連結部材２０，２０Ａ，２０Ｂとしては、その他、種々の構成とされたものの採用が可能である。
また、上記各実施形態において説明した互いに異なる構成を、適宜、組み替えたり、組み合わせたりして適用するようにしてもよい。
また、上記各実施形態では、吊元側縦枠６，６Ａの見付寸法Ｔ１と戸体１０，１０Ａ，１０Ｂの戸厚寸法Ｔ２とを略同寸法とした例を示しているが、このような態様に限られない。吊元側縦枠６，６Ａの見付寸法Ｔ１よりも戸体１０，１０Ａ，１０Ｂの戸厚寸法Ｔ２を大としたり、小としたりしてもよい。
また、上記各実施形態では、各開き戸装置１，１Ａ，１Ｂを、第１壁部２に壁付状に吊元側縦枠６，６Ａを設け、全開状態において戸体１０，１０Ａ，１０Ｂの前面が壁面２ａに対面されるように配設した例を示しているが、このような態様に限られない。例えば、全開状態において戸体１０，１０Ａ，１０Ｂの前面が壁面２ａに対面されないように配設した態様等としてもよい。各開き戸装置１，１Ａ，１Ｂの配設態様としては、その他、種々の変形が可能である。
【符号の説明】
【００４６】
１，１Ａ，１Ｂ        開き戸装置
６，６Ａ              吊元側縦枠
６ａ                  内側面
１０，１０Ａ，１０Ｂ  戸体
１０ａ                後面（戸厚方向一方面）
１０ｂ                吊元側端面
１１                  開閉操作部
１５                  第２保持凹部（保持機構）
１５Ａ                保持凹部（保持機構）
１６，１６Ａ          磁石（保持機構）
１９                  ピン（保持機構）
１９Ａ                フラップ（保持機構）
２０，２０Ａ，２０Ｂ  回転連結部材
２１                  縦枠取付部
２２                  戸体取付部
２３                  中間平板部
２４                  枠側軸（上下方向に沿う軸）
２５                  戸側軸（上下方向に沿う軸）
９                    開口
Ｔ１                  見付寸法
Ｔ２                  戸厚寸法
【図１】
2018071132.tif 000003
【図２】
2018071132.tif 000004
【図３】
2018071132.tif 000005
【図４】
2018071132.tif 000006
【図５】
2018071132.tif 000007